(57)【要約】熱硬化ポリウレタンの第１層を含む多層物品。ポリマー組成物の第２層は第１層に接合されている。ポリウレタンは、第２層の被着の前に利用可能なイソシアネート基を有する。材料がカルボキシル基と架橋剤とを有する第２層は、プレポリマーまたはポリマー状態で第１層上へ被着される。【特許請求の範囲】
【請求項１】
熱硬化ポリウレタンの第１層と、前記第１層に接合されたポリマー組成物の第２層とを含む多層物品であって、ポリマーまたはプレポリマー状態で前記第１層上へ被着されるポリマー組成物の前記第２層がカルボキシル基と架橋剤とを有し、かつ、前記第１層が前記第２層を被着する前に利用可能なイソシアネート基を有する多層物品。
【請求項２】
前記第１層が部分硬化される、請求項１に記載の多層物品。
【請求項３】
利用可能なイソシアネート基が、遊離イソシアネートを測定するためのＦＴＩＲ試験によって示されるように前記第１層の全重量の少なくとも５重量％を含む、請求項１に記載の多層物品。
【請求項４】
前記第１層が約０．７５〜約１．２５の範囲内のＮＣＯ対ＯＨ比を有する、請求項１に記載の多層物品。
【請求項５】
２５℃の温度で少なくとも１５％の伸び試験結果を示す、請求項１に記載の多層物品。
【請求項６】
前記熱硬化ポリウレタンが、１種以上のヒドロキシル構成成分と、少なくとも１種のイソシアネート化合物との反応生成物である、請求項１に記載の多層物品。
【請求項７】
前記１種以上のポリオールまたは前記１種以上のジオールが、ポリエステル組成物、ポリアクリル組成物、ポリエーテル組成物、ポリカーボネート組成物、ポリアルキレン組成物、カルビノール末端ポリジメチルシロキサンまたはそれらの混合物から選択される、請求項６に記載の多層物品。
【請求項８】
前記イソシアネート化合物が第一級イソシアネート、第二級イソシアネート、第三級イソシアネート、またはそれらの混合物である、請求項６に記載の多層物品。
【請求項９】
ポリマー組成物の前記第２層が、ポリウレタン、ポリウレタン／アクリルコポリマー；ポリアルキレン、ポリアルキルジエン、ポリアクリレートエステル、ポリアルキルエステル、ポリビニルエステル、またはポリビニルとアクリル酸またはメタクリル酸とのコポリマーまたはターポリマー；ポリエチレンアクリル酸コポリマー、ポリエチレンメタクリル酸コポリマー、ポリエチレンアクリル酸メタクリル酸ターポリマー、メタクリル酸メチル−アクリル酸コポリマー、ポリブタジエンメタクリル酸コポリマー、塩化ビニル−アクリル酸コポリマー、およびそれらの混合物から選択される、請求項１に記載の多層物品。
【請求項１０】
前記架橋剤が、多官能性アジリジン、多官能性カルボジイミド、多官能性エポキシ、メラミン樹脂、およびそれらの組合せから選択される、請求項１に記載の多層物品。
【請求項１１】
熱成形可能である、請求項１に記載の多層物品。
【請求項１２】
１００℃以下の温度で熱成形される、請求項１１に記載の多層物品。
【請求項１３】
前記第１層または前記第２層が、均展材、ＵＶ吸収剤、水分捕捉剤、酸化防止剤、消泡剤、着色剤、装飾固形分、またはそれらの組合せを含む、請求項１に記載の多層物品。
【請求項１４】
第一級イソシアネートから生産された熱硬化ポリウレタンの第１層と、前記第１層に接合されたポリマー組成物の第２層とを含む多層物品であって、その前記第１層と第２層とがそれぞれ、２５℃でのＦＴＩＲ試験結果のもとで、遊離のカルボニルピークに等しいかそれよりも小さい水素結合カルボニルピークを示すウレタン結合を示す多層物品。
【請求項１５】
前記第一級イソシアネートが少なくとも１種のポリイソシアネートを含む、請求項１４に記載の多層物品。
【請求項１６】
前記熱硬化ポリウレタンが、１種以上のポリオール、１種以上のジオールと前記第一級イソシアネートとの反応生成物である、請求項１４に記載の多層物品。
【請求項１７】
２５℃の温度で少なくとも１５％の伸び試験結果を示す、請求項１４に記載の多層物品。
【請求項１８】
ポリマー組成物の前記第２層が、ポリウレタン、ポリウレタン／アクリルコポリマー；ポリアルキレン、ポリアルキルジエン、ポリアクリレートエステル、ポリアルキルエステル、ポリビニルエステル、またはポリビニルとアクリル酸またはメタクリル酸とのコポリマーまたはターポリマー；ポリエチレンアクリル酸コポリマー、ポリエチレンメタクリル酸コポリマー、ポリエチレンアクリル酸メタクリル酸ターポリマー、メタクリル酸メチル−アクリル酸コポリマー、ポリブタジエンメタクリル酸コポリマー、塩化ビニル−アクリル酸コポリマー、およびそれらの混合物から選択される、請求項１４に記載の多層物品。
【請求項１９】
熱成形可能である、請求項１４に記載の多層物品。
【請求項２０】
１００℃以下の温度で熱成形される、請求項２０に記載の多層物品。
【請求項２１】
前記第１層または前記第２層が、均展材、ＵＶ吸収剤、水分捕捉剤、酸化防止剤、消泡剤、着色剤、装飾固形分、またはそれらの組合せを含む、請求項１４に記載の多層物品。
【請求項２２】
熱硬化ポリウレタンの第１層と、前記第１層に接合されたポリマー組成物の第２層とを含む多層物品であって、ポリマーまたはプレポリマー状態で前記第１層上へ被着されるポリマー組成物の前記第２層が利用可能なヒドロキシル基、アミン基またはそれらの組合せを有し、かつ、前記第１層が前記第２層を被着する前に利用可能なイソシアネート基を有する多層物品。
【請求項２３】
カルボキシル基と架橋剤とを有する、ポリマー組成物またはプレポリマー組成物の層を、利用可能なイソシアネート基を有する熱硬化性ポリウレタンの層に接合する工程を含む、請求項１に記載の多層物品の製造方法。
【請求項２４】
熱硬化性ポリウレタンの前記層が部分硬化される、請求項２３に記載の方法。
【請求項２５】
前記利用可能なイソシアネート基が、遊離イソシアネートを測定するためのＦＴＩＲ試験によって示されるように少なくとも５重量％を構成する、請求項２３に記載の方法。
【請求項２６】
前記第１層が約０．７５〜約１．２５の範囲内のＮＣＯ対ＯＨ比を有する、請求項２３に記載の方法。
【請求項２７】
前記得られた多層物品が２５℃の温度で少なくとも１５％の伸び試験結果を示す、請求項２３に記載の方法。
【請求項２８】
多層物品の形成方法であって、
（ａ）利用可能なイソシアネート基を有する熱硬化性ポリウレタンの層を提供する工程と、
（ｂ）熱硬化性ポリウレタンの前記層に、カルボキシル基と架橋剤とを有するポリマー組成物またはプレポリマー組成物の層を接合する工程と、
（ｃ）前記熱硬化性ポリウレタンを硬化させる工程と
を含む方法。
【請求項２９】
熱硬化性ポリウレタンの前記層が部分的に硬化される、請求項２８に記載の方法。
【請求項３０】
前記利用可能なイソシアネート基が、遊離イソシアネートの測定のためのＦＴＩＲ試験によって示されるように少なくとも５重量％を構成する、請求項２８に記載の方法。
【請求項３１】
前記第１層が約０．７５〜約１．２５の範囲内のＮＣＯ対ＯＨ比を有する、請求項２８に記載の方法。
【請求項３２】
前記得られた多層物品が、２５℃の温度で少なくとも１５％の伸び試験結果を示す、請求項２８に記載の方法。
【発明の詳細な説明】
【０００１】
発明の分野
本発明は、多層物品、より具体的には第２ポリマー層に接合された熱硬化ポリウレタン層を有する多層物品および多層物品の製造方法に関する。
【０００２】
発明の背景
熱硬化ポリウレタン層は、基材上の保護層として使用するのに望ましい。従来のポリウレタンは、硬化した熱硬化性ポリウレタンの伸張という変形を必要とする後続プロセス工程にさらされない積層品またはコーティング材として利用される場合にはうまく機能する。
【０００３】
熱硬化ポリウレタンは、耐久性があり、ある種の基材に所望の美的価値を与えることができる。しかしながら、多くの場合、３次元物品上にポリウレタンコーティングを利用することが望ましい。従来の熱硬化ポリウレタンは、一般に硬質で限定された伸び特性を有する。限定された伸びは、従来の成形用途においてポリウレタンを熱成形しようと試みる場合に、問題を引き起こす。さらに、ポリウレタンは、ポリウレタンの伸びを可能にするために高温による熱成形必要とする。高温は、ポリウレタンに関して機械的および美的問題の両方を引き起こし得る。さらに、高温は、暴露面と金型表面との直接接触が原因で、ポリウレタンの暴露面の光沢に悪影響を及ぼし得る。
【０００４】
従来の熱硬化ポリウレタンでの他の潜在的な問題は、ポリウレタンコーティングの形成中、コーティング環境により引き起こされる。基材上にポリウレタンコーティングを形成するプロセスは、多くの場合、開放環境において行われる。これは、ポリウレタンの暴露面に、気泡、ほこり、汚れなどのような表面欠陥を生み出し得る。
【０００５】
当該技術において、改善された熱成形プロセスを可能にするために、より大きな伸びが可能である熱硬化ポリウレタンが要求されている。さらに、完成したポリウレタンの美的特性に悪影響を及ぼすことなく広範囲にわたる熱成形が可能である熱硬化ポリウレタンが求められている。
【０００６】
発明の概要
本発明は、様々な要素または基材上へ被着された場合にコーティングとして機能することができる多層物品を提供する。多層物品は、積層品または熱成形物品上の保護コーティングまたは美的コーティングのいずれかとして本発明の物品の使用を可能にする物理的特性を有する。
【０００７】
多層物品は、熱硬化ポリウレタンの第１層を含む。ポリマー組成物の第２層は第１層に接合される。ポリウレタンは、第２層の被着前に利用可能なイソシアネート基を有する。材料がカルボキシル基と架橋剤とを有する第２層は、プレポリマーまたはポリマー状態で第１層上へ被着される。
【０００８】
ポリウレタンは、一般に、ヒドロキシル構成成分とイソシアネート構成成分とを有する２部分熱硬化性ポリウレタンである。熱硬化性ポリウレタンは、プレポリマーまたはポリマー第２層の被着前に利用可能なイソシアネートを有する。「利用可能なイソシアネート基」という用語は、熱硬化性ポリウレタンが、ポリウレタン中のヒドロキシル構成成分と反応しなかった少なくとも幾らかの量のイソシアネートを有することを意味する。その結果、利用可能なイソシアネートは、第２のプレポリマーまたはポリマー層中の構成成分と反応する能力を有する。ポリウレタン中の利用可能なイソシアネート基は、様々な方法で得ることができる。例えば、熱硬化性ポリウレタンの部分硬化またはポリウレタンでの過剰イソシアネートの使用が利用可能なイソシアネートをもたらすことができる。
【０００９】
第２層は、カルボキシル基と架橋剤とを有するプレポリマーまたはポリマー材料である。架橋剤は、ポリウレタンの利用可能なイソシアネート（ＮＣＯ）基と反応することができ、また、第２層中のカルボキシル基とも反応する。架橋剤とそれぞれの層中の構成成分との反応は、層間の接合を強化することができる。
【００１０】
代わりの実施態様において、本発明の物品は、ポリマーまたはプレポリマー層中に利用可能なヒドロキシル基またはアミン基を含む。利用可能なヒドロキシル基またはアミン基は、カルボキシル基と架橋剤の置換または補いのいずれかを行なう。利用可能なヒドロキシル基またはアミン基は、熱硬化性ポリウレタンの第１層のイソシアネート基と反応することができる。
【００１１】
得られた多層物品は、従来の熱硬化ポリウレタンよりも改善された伸びを示す。本発明の物品は、２５℃で少なくとも１５％の伸び試験結果を有する。改善された伸びは、１００℃以下の温度で物品を熱成形することを可能にする。
【００１２】
好ましい実施態様において、熱硬化ポリウレタンは、第一級イソシアネートを利用して生産される。得られた多層物品は、第１または第２層表面のいずれかからとられた、２５℃でのＦＴＩＲ試験結果で示されるウレタン結合を有する。ウレタン結合は、遊離カルボニルピークに等しいかそれよりも小さい水素結合カルボニルピークを有するという独特の特性を示す。
【００１３】
本発明はまた、熱硬化性ポリウレタン組成物をコーティングする工程と、任意に、部分硬化させて遊離のイソシアネート（ＮＣＯ）基を有するポリウレタンの層を形成する工程と、カルボキシル基と架橋剤とを有するポリマー組成物を第１層上にコーティングする工程とによる多層物品の生産方法をも提供する。
【００１４】
本発明の目的上、本出願において使用される次の用語は、以下のように定義される。
「ヒドロキシル構成成分」は、１種以上のジオール、１種以上のポリオール、またはそれらの混合物を意味する。
「イソシアネート構成成分」は、１種以上のジイソシアネート、１種以上のポリイソシアネート、またはそれらの混合物を意味する。
「ポリオール」は、３個以上のヒドロキシル（ＯＨ）官能基を有する化合物を意味する。
「ジオール」は、２個のヒドロキシル官能基を有する化合物を意味する。
「ジイソシアネート」は、２個のイソシアネート（ＮＣＯ）官能基を有する化合物を意味する。
「ポリイソシアネート」は、３個以上のイソシアネート（ＮＣＯ）官能基を有する化合物を意味する。
「第一級イソシアネート」は、そのイソシアネート基が結合している炭素原子が、２個の水素原子も有することを意味する。
「触媒」は、化学反応のスピードを変えることができる物質を意味する。
「重合させる」または「硬化させる」は、組成物の物理的状態およびまたは化学的状態を変化させること、それを流動状態から流動性がより少ない状態へ変化させること、粘着性状態から非粘着性状態に変わること、可溶性状態から不溶性状態に変わること、化学反応においてその消費により重合性材料の量を減少させること、またはある特定の分子量の材料からより高分子量の材料に変わることを意味する。
「部分硬化」ポリウレタンは、活性水素含有材料（例えば、ヒドロキシル基、アミン基など）とさらに反応することが可能である、利用可能なイソシアネート基をポリウレタン内に有するポリウレタンを意味する。
「熱硬化性ポリウレタン」は、ヒドロキシル基とさらに反応するための利用可能なイソシアネート基を有するポリウレタンを意味する。
「ポリマー」は、架橋剤を除外して５重量％未満のモノマーを有する組成物を意味する。
「プレポリマー」は、モノマーもしくはオリゴマー組成物またはそれらの混合物、あるいはポリマーとモノマーもしくはオリゴマー組成物とのブレンドを意味する。
ヒドロキシル構成成分の「当量」は、ヒドロキシル官能基の数で割ったその材料の分子量に相当する。
【００１５】
他の特徴および利点は、それの好ましい実施態様についての次の説明から、および特許請求の範囲から明らかであろう。
【００１６】
本発明の利点は、添付の図面を考慮に入れた場合に、次の詳細な説明から当業者に容易に明らかになるであろう。
【００１７】
詳細な説明
本発明は、ポリマー組成物の第２層に接合する熱硬化ポリウレタンの第１層を少なくとも有する多層物品に関する。物品は、シート、装飾物品、３次元物品、グラフィックなどをはじめとする様々な形態を有してもよい。容易にするために、実施態様はシート形態において説明されるが、シートが物品へ型抜きされ、真空熱成形され、エンボス加工され、デボス加工され、または別の方法で物品へ成形されてもよいことは理解される。
【００１８】
図１は、本発明の一実施態様を例示する。物品１０は、ポリアクリル剥離コーティング（図示されず）を有する二軸延伸ポリ（エチレンテレフタレート）フィルム１２上の熱硬化ポリウレタン第１層１４を含む。第２層１６は、第１層とは異なる組成物を有するポリマーであり、第１層に接合している。本発明の目的上、ポリ（エチレンテレフタレート）フィルム１２は、多層物品の製造中、キャリヤーフィルムとして利用される。延伸ポリ（エチレンテレフタレート）フィルム１２は、物品１０の層１４および１６の最終用途利用に先立って一般に剥がされる。図２〜４は、本発明の多層物品を組み込んだ様々な物品を例示する。図２〜４は、下で詳細に議論される。
【００１９】
材料
本発明の熱硬化ポリウレタン層は、ヒドロキシル（ＯＨ）構成成分とイソシアネート構成成分（ＮＣＯ）との反応生成物である。ヒドロキシル構成成分は、１種以上のジオール、１種以上のポリオール、またはジオールとポリオールとの組合せを含む。イソシアネート構成成分は、１種以上のジイソシアネート、１種以上のポリイソシアネート、またはそれらの混合物を含むことができる。ヒドロキシル構成成分およびイソシアネート構成成分は、無溶剤（１００パーセント固形分とも言われる）、または溶剤系のいずれかであることができる。本明細書で使用されるように、用語「無溶媒」には、約５重量％までの溶剤、水または両方が含まれてもよい。本明細書で使用されるように用語「ポリオール」には、ポリウレタン材料を形成するのに有用な他のポリオールだけでなく、トリオールも含まれる。ヒドロキシル構成成分およびイソシアネート構成成分は、一部分を構成するヒドロキシル構成成分と第２部分を構成するイソシアネート構成成分との２部分組成物として提供される。
【００２０】
本発明に従って、好適なジオールおよびポリオールには、ポリエステル組成物、ポリアクリル組成物、ポリエーテル組成物、ポリカーボネート組成物、ポリアルキレン組成物、カルビノール末端ポリジメチルシロキサンおよびそれらの混合物が含まれる。本発明に有用なジオールまたはポリオールの典型的な当量は、一般に約２８〜約３０００の範囲にある。しかしながら、上記の範囲外の当量を有する他のジオールおよびポリオールが本発明での使用に好適であるかもしれない。好適なジオールおよびポリオールは、様々な製造業者から商業的に入手可能である。製造業者（およびそれらのそれぞれの商品名）には、Ｐｉｔｔｓｂｕｒｇｈ，ＰＡのＢａｙｅｒ  Ｃｏｒｐｏｒａｔｉｏｎ（Ｄｅｓｍｏｐｈｅｎ（登録商標）およびＭｕｌｔｒａｎｏｌ（登録商標））、Ｇｒｅｅｎｗｉｃｈ，ＣＴのＣｒｏｍｐｔｏｎ  Ｃｏｒｐｏｒａｔｉｏｎ（Ｆｏｒｍｒｅｚ（登録商標））、Ｄａｎｂｕｒｙ，ＣＴのＵｎｉｏｎ  Ｃａｒｂｉｄｅ（Ｔｏｎｅ（登録商標））、Ｒａｃｉｎｅ，ＷＩのＳ．Ｃ．Ｊｏｈｎｓｏｎ  Ｐｏｌｙｍｅｒｓ（Ｊｏｎｃｒｙｌ（登録商標））、Ｐｈｉｌａｄｅｌｐｈｉａ，ＰＡのＲｏｈｍ  ＆  Ｈａａｓ（Ａｃｒｙｌｏｉｄ（登録商標））、Ｈｉｃｋｓｖｉｌｌｅ，ＮＹのＲｕｃｏ  Ｐｏｌｙｍｅｒｓ（Ｒｕｃｏｆｌｅｘ（登録商標））、Ｈｏｕｓｔｏｎ，ＴＸのＳｏｌｖｅｙ  Ｉｎｔｅｒｏｘ（Ｃａｐａ（登録商標））、Ｍｏｕｎｔ  Ｏｌｉｖｅ，ＮＪのＢＡＳＦ（ＰｌｕｒａｃｏｌＴＭ）およびＷｉｌｍｉｎｇｔｏｎ，ＤＥのＤｕｐｏｎｔ  Ｃｏｍｐａｎｙ（Ｔｅｒａｔｈａｎｅ（登録商標））が含まれるが、これらに限定されない。
【００２１】
ヒドロキシル構成成分のヒドロキシル（ＯＨ）基は、好ましくは好適な触媒の存在下に、イソシアネート構成成分のＮＣＯ基と反応して熱硬化ポリウレタンを形成する。好適なイソシアネートは、脂肪族または芳香族であってもよく、第一級、第二級、第三級、またはそれらの混合物であってもよい。好ましい実施態様において、イソシアネート構成成分は、得られたポリウレタンの耐久性を改善するために、ポリイソシアネート、または３官能性イソシアネートである。屋外耐候性を必要とする物品向けには、脂肪族ポリイソシアネートが好ましい。３次元物品に真空熱成形するために使用される予定の柔軟なシート材料向けには、ポリイソシアネートは、好ましくはビウレットまたはイソシアヌレートのような第一級ポリイソシアネートである。第一級ポリイソシアネートは一般に第一級ジイソシアネートから製造される。第一級ポリイソシアネートを生産するのに好適である第一級ジイソシアネートの例には、１，６−ヘキサメチレンジイソシアネート、トリメチル−ヘキサメチレンジイソシアネート、１，４−テトラメチレンジイソシアネート、１，３−キシレンジイソシアネート、１，４−キシレンジイソシアネート、１，１２−ドデカメチレンジイソシアネート、２−メチルペンタメチレンジイソシアネート、または１，４−シクロヘキサンジメチレンジイソシアネートが挙げられるが、これらに限定されない。
【００２２】
本発明は、熱硬化性ポリウレタン中の利用可能なイソシアネート基を利用して、硬化した熱硬化性ポリウレタンとポリマー層との間の有益な接合を形成する。熱硬化性ポリウレタン中の利用可能なイソシアネート基は、プレポリマーまたはポリマー組成物を熱硬化性ポリウレタンの暴露面に被着する前にポリウレタン中に存在する。利用可能なイソシアネート基は、様々なやり方で、熱硬化性ポリウレタン中に得られる。例えば、好ましい一実施態様において、２部分ポリウレタンは、過剰のイソシアネート基を利用して配合することができる。得られた熱硬化性ポリウレタンは、プレポリマーまたはポリマー材料の第２層を被着する前に、利用可能な未反応イソシアネート基を、好ましくは第２層が被着される表面に有するであろう。この特定の実施態様において、ＮＣＯ対ＯＨ比は１よりも大きいであろう。別の好ましい実施態様において、熱硬化性ポリウレタンは部分硬化される。熱硬化性ポリウレタンの部分硬化は、第２層が提供される熱硬化性ポリウレタンの表面に利用可能なイソシアネート基を提供するであろう。
【００２３】
２部分ポリウレタンの構成成分は、得られた熱硬化ポリウレタンで異なる物理的特性を達成するために選択されてもよい。当業者は、本発明の多層物品の特定の最終用途にとって望ましい特性を得るために、特定のイソシアネート、ジオールおよびポリオールを選択することが可能である。
【００２４】
本発明に従って、イソシアネート（ＮＣＯ）基対ヒドロキシル（ＯＨ）基の比は、好ましくは０．７５〜約１．２５の範囲にある。その範囲は、熱硬化ポリウレタンにおける所望の仕上げ特性を達成するために選択することができる。例えば、より多量のポリイソシアネートはより堅いまたはより硬い物品を形成することができるが、より多量のポリオールはより柔軟な物品をもたらすかもしれない。さらに、イソシアネート（ＮＣＯ）基対ヒドロキシル（ＯＨ）基の比は、熱硬化性ポリウレタン中の利用可能なイソシアネート基を提供するために調節されてもよい。当業者は、所望の利用可能なイソシアネート基を達成するために特定の比を選択することが可能である。
【００２５】
本発明には、構成成分間の反応を促進するために、ヒドロキシル構成成分およびイソシアネート構成成分と組み合わせて好ましくは触媒が含まれる。ポリウレタンの重合での使用が一般に認められている従来の触媒は、本発明での使用に好適である。例えば、アルミニウム、ビスマス、スズ、バナジウム、亜鉛、ジルコニウムベース触媒、またはそれらの混合物が使用されてもよい。それらの潜在的毒性のために望ましくないが、水銀ベース触媒も使用されてもよい。好ましい触媒はスズベース触媒であり、最も好ましい触媒はジブチルスズ化合物である。ジブチルスズジアセテート、ジブチルスズジラウレート、ジブチルスズジアセチルアセトナート、ジブチルスズジメルカプチド、ジブチルスズジオクトエート、ジブチルスズジマレエート、ジブチルスズアセトニルアセトナート、およびジブチルススオキシドからなる群から選択された触媒がさらにより好ましい。触媒は、好ましくは第１構成成分中の全溶液重量を基準にして少なくとも１０パーツパーミリオンパーツ（ｐｐｍ）、より好ましくは少なくとも２５ｐｐｍ以上のレベルで含まれる。
【００２６】
本発明には、多層物品を形成するために、熱硬化性ポリウレタン層に接合したプレポリマーまたはポリマー材料の第２層が含まれる。第２層は、カルボキシル基と架橋剤とを有する組成物の反応生成物を含む。架橋剤は、プレポリマーまたはポリマー組成物のカルボキシル基および熱硬化性ポリウレタンの利用可能なイソシアネート基の両方とよく反応する。ポリマーまたはプレポリマー組成物は、水性、溶剤性、または１００％固形分であってもよい。
【００２７】
第２層は、他の材料が接着されてもよいプライマー層として機能することができる。それはまた、接着剤、例えば、部分硬化ポリウレタン表面上へ積層されてもよい感圧接着剤であってもよいし、または、それは、溶液、例えば、モノマー溶液かまたは部分重合シロップとして部分硬化ポリウレタン表面上へコーティングされ、硬化されてもよい。好適な感圧接着剤層は、米国特許第４，１８１，７５２号（Ｍａｒｔｅｎｓ等）に従って製造することができる。
【００２８】
好適なポリマーまたはプレポリマー組成物には、利用可能なカルボン酸基を有するものが含まれ、ポリウレタン、ポリウレタン／アクリルコポリマー、ポリアルキレン、ポリアルキルジエン、ポリアクリレートエステル、ポリアルキルエステル、ポリビニルエステル、またはポリビニルとアクリル酸またはメタクリル酸とのコポリマーまたはターポリマーが含まれるが、それらに限定されない。コポリマーの例は、ポリエチレンアクリル酸コポリマー、ポリエチレンメタクリル酸コポリマー、ポリエチレンアクリル酸メタクリル酸ターポリマー、メタクリル酸メチル−アクリル酸コポリマー、ポリブタジエンメタクリル酸コポリマー、塩化ビニル−アクリル酸コポリマー、およびそれらの混合物である。好ましいポリマーおよびコポリマーは、ポリウレタン、ポリエチレンアクリル酸コポリマーおよびポリエチレンメタクリル酸コポリマーである。得られるポリマーの特性は、カルボキシル基の数を変えることによって調節することができる。当業者は、利用可能なカルボン酸基が選択されたプレポリマーまたはポリマー組成物の酸数を調節することによって調節できることを知っている。
【００２９】
本発明は、プレポリマーまたはポリマー組成物中に架橋化合物を利用する。第２層用の組成物に好適な架橋化合物は、好ましくは多官能性化合物である。多官能性は、化合物が２個以上の官能性を含み、好ましくは第２層のカルボキシル基および第１層のイソシアネート基の両方と反応できることを意味する。有用な架橋剤には、ポリ官能性アジリジン、多官能性カルボジイミド、多官能性エポキシ、およびメラミン樹脂が含まれるが、それらに限定されない。好ましい架橋剤は、ポリ官能性アジリジン、例えば、トリメチルプロパン−トリス−（Ｂ−（Ｎ−アジリジニル）プロピオネート、ペンタエリスリトール−トリス−（Ｂ−（アジリジニル）プロピオネート、および２−メチル−２−エチル−２−（（３−（２−メチル−１−アジリジニル）−１−オキソプロポキシ）メチル）−１，３−プロパンジイルエステルである。
【００３０】
代わりとなる実施態様において、本発明の物品には、ポリマーまたはプレポリマー層中に利用可能なヒドロキシルまたはアミン基が含まれる。利用可能なヒドロキシル基またはアミン基は、カルボキシル基と架橋剤の置換または補いいずれかを行なう。利用可能なヒドロキシル基またはアミン基は、熱硬化性ポリウレタンの第１層のイソシアネート基と反応することが可能である。
【００３１】
他の添加剤が、多層物品の第１層または第２層のいずれかの組成物中に含まれてもよい。好ましくは、添加剤は、材料の加工性を高めるために、またはそれぞれの層の特性を改質するために含まれる。例えば、滑らかなコーティングを確実にするために、均展材または流れ調整剤が利用されてもよい。均展材の例には、ポリアルキレンオキシド変性ポリメチルシロキサン、ポリアルキレンオキシド変性ノニルフェノール、酢酸酪酸セルロース、コハク酸アルキルナトリウム、およびアクリレートコポリマーまたはターポリマーが挙げられる。当業者により一般に認められている他の均展材もまた、本発明での使用に好適であるかもしれない。均展材は、典型的には約０．０１重量パーセント〜約４重量パーセントの範囲で含まれる。
【００３２】
いずれかの層または両方の層は、耐候性を改善するＵＶ吸収剤を含むことができる。当該技術において一般に認められているＵＶ吸収剤は、本発明での使用に好適であるかもしれない。あるいはまた、ヒンダードアミンラジカル捕捉剤を含むまたはＵＶ吸収剤と組み合わせることができる。当該技術で一般に認められているヒンダードアミン遊離基捕捉剤は、ヒドロペルオキシドの光誘起解離により生じたアルコキシおよびヒドロキシラジカルを捕捉することによって、ポリウレタンの光安定化に貢献する。ポリオール組成物中のＵＶ吸収剤の量は、典型的には約０．１重量パーセント〜約４重量パーセントの範囲にある。第１構成成分中のヒンダードアミンラジカル捕捉剤の量は、典型的には約０．１重量パーセント〜約３重量パーセントの範囲にある。
【００３３】
さらに、水分捕捉剤（ｍｏｉｓｔｕｒｅ  ｓｃａｖｅｎｇｅｒ）、酸化防止剤、殺カビ剤、および消泡剤が、いずれかの層の組成物と共に含まれることができる。仕上げ特性を改善するために、当業者によって一般に認められている注目カテゴリーの従来の化合物が本発明での使用に好適であるかもしれない。水分捕捉剤は、約０．１重量パーセント〜約３重量パーセントの範囲のレベルで含まれてもよい。酸化防止剤は、望ましくは約０．１重量パーセント〜約２重量パーセントの範囲で含まれる。消泡剤および殺カビ剤は、典型的には約１．０重量パーセント以下の量で含まれる。
【００３４】
完成品の美的価値観を高めるために、着色剤および装飾固形分（ｄｅｃｏｒａｔｉｖｅ  ｓｏｌｉｄ）のような他の材料をいずれかの層の組成物に添加することができる。装飾固形分は、金属フレーク、ポリマーフレーク、光沢材、ビーズ、または完成品に装飾特徴を与える他の材料のようなアイテムを含むことができよう。顔料または染料のような着色剤、および装飾固形分は、完成品において所望の効果を得るために様々なレベルで含まれる。
【００３５】
さらに、コーティングにとって好適な粘度を与える、他の材料の分散性を高める、または別の方法で組成物の処理を助けるために、溶剤がいずれかの層の組成物に添加されてもよい。好適な溶剤には、水、メチルエチルケトン、メチルイソブチルケトン、酢酸ブチル、キシレン、プロピレングリコールモノメチルエーテルアセテート、ジエチレングリコールエチルエーテルアセテートのようなグリコールエーテル、ならびにそれらのブレンドおよび混合物が含まれる。
【００３６】
方法
本発明の方法の実施において、熱硬化性ポリウレタンの第１層が形成される。層の形成は、例えば、キャリヤーウェブ上へコーティングまたは押し出されるような従来のやり方によって成し遂げられてもよい。当業者は、公知の技術を用いてキャリヤーウェブ上へ本発明のポリウレタンをコーティングまたは押し出すことが可能である。
【００３７】
ウェブ上へのコーティングまたは押出に先立って、熱硬化性ポリウレタンが、先ずヒドロキシル構成成分を必要ならば好適な溶剤、および任意の添加剤と混合することによって調製される。イソシアネート構成成分、および任意の溶剤または任意の添加剤が従来のやり方を利用して調製される。次に２つの構成成分が所望のＮＣＯ：ＯＨ比を得るのに適切な量で混合される。ＮＣＯ：ＯＨ比は、好ましくは０．７５〜１．２５の間で選択される。次に組成物は剥離可能なキャリヤー上へコーティングされる。使用されてもよい好適なキャリヤーには、熱硬化ポリウレタン組成物からの剥離を可能にする組成物でコーティングまたはプリントされてもよい二軸延伸ポリエステルのようなフィルムおよび紙が含まれる。かかるコーティングには、ポリアクリル、シリコーン、およびフルオロケミカルから形成されたものが含まれる。
【００３８】
ヒドロキシル構成成分とイソシアネート構成成分との混合物は、ナイフコータ、ロールコータ、リバースロールコータ、ノッチバーコータ、フローコータ、グラビアコータ、回転印刷機などのような当業者に公知の従来装置を用いてキャリヤーウェブ上へコーティングすることができる。組成物の粘度は、用いられるコーターのタイプに合わせて調節される。
【００３９】
コーティングされた組成物は次に乾燥され、一実施態様においては高温で部分硬化される。昇温プロフィルは、好ましくは、先ず溶剤を蒸発させ、次に下記のようなフーリエ変換赤外（ＦＴＩＲ）によって測定されるように検出できる利用可能なイソシアネート（ＮＣＯ）基を有するポリウレタンに組成物を部分硬化させるために使用される。約４５％の固形分含量を有する０．００３インチ厚さの湿潤コーティングにとって典型的な温度プロフィルは、８０℃で１．５分、１０５℃で１．５分および１２５℃で１．５分であってもよい。温度および時間は、組成物をフィルムに硬化させるのに十分に高いが、第２層に接合するための利用可能なイソシアネート（ＮＣＯ）基を残すのに十分に低いものであるべきである。好ましくは、ＦＴＩＲによって測定されるように、第２層のコーティング中、イソシアネート（ＮＣＯ）基の少なくとも約１％が利用可能であり、より好ましくはイソシアネート（ＮＣＯ）基の約２０〜約９０％が利用可能である。
【００４０】
代わりとなる実施態様において、ヒドロキシル構成成分とイソシアネート構成成分との混合物は、一方が過剰のＮＣＯ：ＯＨ比で調製される。その特定の比は、ポリウレタン混合物のヒドロキシル構成成分が使い尽くされる場合でさえも、プレポリマーまたはポリマー材料の第２層との反応に利用可能なイソシアネート（ＮＣＯ）を提供する。熱硬化性ポリウレタンは、先の実施態様におけるように乾燥される。
【００４１】
プレポリマーまたはポリマー材料の第２層が、利用可能なイソシアネート（ＮＣＯ）基を有する熱硬化性ポリウレタン層上へコーティングされる。第１層に利用可能なイソシアネート（ＮＣＯ）基を提供した後直ちに第２層をコーティングすることが望ましい。第１層は周囲温度で硬化し続けることができるので、第２層は、第１層をコーティングした後直ちにコーティングされるのが好ましい。第２層は、カルボキシル基と架橋剤とを含有する。架橋剤は、ポリウレタンの利用可能なイソシアネート（ＮＣＯ）基と反応し、また、第２層中のカルボキシル基とも反応する。架橋剤と各層中の構成成分との反応は、層間の接合を強化する。
【００４２】
得られた多層物品は次に乾燥され、第１層に対するものに類似のオーブン温度で硬化される。好ましくは、多層物品は約２５℃〜約２７５℃の温度で乾燥される。最初の乾燥温度の後で一層または両層が十分に硬化していない場合、それらは、貯蔵後に室温で完全に硬化することができる。
【００４３】
熱硬化ポリウレタン層の厚さは、最終用途に必要に応じて変えることができる。典型的には、硬化厚さは約０．００２５ミリメートル〜約０．０７５ミリメートル、好ましくは、それは約０．００５０〜約０．０５ミリメートルの範囲にある。
【００４４】
第２層の厚さもまた、最終用途によって決定され、乾燥厚さは典型的には約０．００２５ミリメートル〜約０．０７５ミリメートル、好ましくは約０．０１ミリメートル〜約０．０５ミリメートルである。
【００４５】
得られた物品の特性
本発明の多層物品用の具体的な材料は、最終用途にとって望ましい特性を与えるべく調整することができる。熱硬化ポリウレタン層は、本発明の物品上に耐久性の層を提供する。この層はまた、優れた耐掻き傷性／耐表面損傷性だけでなく、優れた屋外耐候性を有するべく配合されてもよい。グラフィック物品のような多数の用途向けには、熱硬化ポリウレタン層は高い光沢で透明であり、それはクリアコーティングとして機能することが好ましい。しかしながら、それはまた、色付けされてもよいし、または制御された光沢で不透明であってもよい。
【００４６】
本発明に従って生産された多層物品は、柔軟であり、伸ばすことができる。第２層をコーティングする前に十分に架橋された従来の熱硬化ポリウレタンは、室温で約８％未満の典型的な伸び率を有する。さらに、完全に硬化した（利用可能なイソシアネートを示さない）熱硬化ポリウレタン層上へ被着された第２層は、ほどよく接合し、下の実施例セクションに記載される剥離試験に不合格であろう。本発明は、室温で約１５％よりも大きい、好ましくは約２５％よりも大きい、より好ましくは約５０％よりも大きい伸び率を有する。本発明の伸びは、多層物品が先行技術ポリウレタンベース物品よりも低い温度で熱成形されるのを可能にし、金型の特徴の優れた画定を維持すると考えられる。
【００４７】
熱硬化ポリウレタンに第一級イソシアネートを利用する好ましい実施態様において、本発明の多層物品は、従来のやり方を利用したポリウレタンベース多層物品よりも大きな柔軟性を示す。本発明者等は、ポリウレタン主鎖間の水素結合相互作用が本発明では崩壊し、それが先行技術よりも増加した柔軟性を説明すると考える。しかしながら、本発明者等は、本発明を単にこの可能な説明に限定したくないし、それゆえ、本発明の結果の理解を助けるものとしてそれを述べるに過ぎない。この現象は、ＦＴＩＲスペクトルで実証される。図５および６は、本発明と従来のやり方で製造されたポリウレタンベース多層物品との間のＦＴＩＲスペクトルの差を例示する。
【００４８】
図５は、第一級イソシアネートを利用した熱硬化ポリウレタンの層と、水性ポリウレタンの第２層とを有する２つの多層物品の比較である。ＦＴＩＲ透過率結果は、熱硬化ポリウレタン層から測定された。図５の透過率バンド５０は、本発明に従って生産された、「実施例」セクションで議論される実施例１に記載される多層物品の熱硬化ポリウレタンの２５℃でのＦＴＩＲ結果を例示する。図５の透過率バンド５２は、従来のやり方に従って生産された、「実施例」セクションで詳述される比較例１に記載される多層物品の熱硬化ポリウレタンの２５℃でのＦＴＩＲ結果を例示する。一般に、ウレタン結合のカルボニルバンドは、ＦＴＩＲスペクトルでダブレットを示す。一ピークは、約１７３０ｃｍ−１に位置して、非水素結合カルボニル基に帰属させられ、他ピークは、約１６９０ｃｍ−１に位置して、水素結合カルボニル基に帰属させられる。図５において、透過率バンド５０は、約１７３０ｃｍ−１の遊離カルボニルピークに等しいかそれより小さい約１６９０ｃｍ−１の水素結合カルボニルピークを示すウレタン結合を例示する。透過率バンド５２は、水素結合カルボニルピークよりも小さい遊離カルボニルピークを有するダブレットを示す。
【００４９】
図６は、図５で用いられたように熱硬化ポリウレタンからではなく水性ポリウレタンから測定されたＦＴＩＲ透過率結果を使った図５と同じ多層物品の比較である。図６の透過率バンド６０は、本発明に従って生産された、「実施例」セクションで詳述される実施例１に記載される多層物品の水性ポリウレタンの２５℃でのＦＴＩＲ結果を例示する。図６の透過率バンド６２は、「実施例」セクションで議論される比較例１に記載されるような従来のやり方に従って生産された多層物品の水性ポリウレタンの２５℃でのＦＴＩＲ結果を例示する。一般に、ウレタン結合のカルボニルバンドは、ＦＴＩＲスペクトルでダブレットを示す。一ピークは、約１７３０ｃｍ−１に位置して、非水素結合カルボニル基に帰属させられ、他ピークは、約１６９０ｃｍ−１に位置して、水素結合カルボニル基に帰属させられる。図６において、透過率バンド６０は、約１７３０ｃｍ−１の遊離カルボニルピークよりも小さい約１６９０ｃｍ−１の水素結合カルボニルピークを示すウレタン結合を例示する。透過率バンド６２は、水素結合カルボニルピークよりも小さい遊離カルボニルピークを有するダブレットを示す。
【００５０】
水素結合カルボニルピークが非水素結合ピークに等しいかそれより大きい場合に、ウレタンはより高い弾性率とより小さい伸び率とを持って、より結晶質で、より堅く、より硬くなるというのが本発明者等の考えである。これは、ウレタンの物理的特性を強化するポリマー鎖間の擬架橋として作用する水素結合相互作用のためであるかもしれない。好ましい実施態様は、カルボニルバンドにおいて水素結合がより少ないことを示唆するＦＴＩＲスペクトルを示す。ウレタン中に存在する水素結合がより少ない場合、ＦＴＩＲスペクトルで約１７３０ｃｍ−１に位置する非水素結合ピークが約１６９０ｃｍ−１に位置する水素結合ピークよりも大きい。この場合、ウレタンは、比較的より大きい伸び率を持って、より非晶質で、より柔軟性になる。より大きい伸び率は、真空熱成形のような最終用途加工技術を強化するために必要とされる。
【００５１】
部分硬化ポリウレタン層の特性を改質することに加えて、第２層は、他の材料および層が接合できる表面を提供するための連結層として機能することができる。
【００５２】
本発明の他の物品を形成するために、追加の層が、物品のいずれかの主面にコーティングまたは積層されてもよい。その層は、連続的または非連続的であることができる。これらの層には、押出シート、キャストシート、金属蒸気コーティング、プリントグラフィックス、接着剤、プライマーなどが含まれるが、それらに限定されない。他の層は、好ましくは第２層に接着されるが、また、第１層の表面に接着されてもよい。
【００５３】
図２は、剥離可能なポリエステルキャリヤー２８、熱硬化ポリウレタンの第１層２６、水性ポリウレタン層の第２層２４、および第２層２４上へ直接押し出された熱可塑性ポリウレタン層の第３層２２を有する物品２０を例示する。
【００５４】
代わりの実施態様において、図３の物品３０は、剥離可能なポリエステルキャリヤー３８、熱硬化ポリウレタンの第１層３６、および水性ポリウレタン層の第２層３４を有する。熱可塑性ポリウレタンの第３層３２は、シートとして押し出され、次に別個の工程で第２層３４上へ熱積層される。
【００５５】
別の実施態様において、図４のグラフィック物品４０は、剥離可能なポリエステルキャリヤー４９、熱硬化ポリウレタンの第１層４８、および水性ポリウレタン層の第２層４７を有する。第３層４６は、第２層上にコーティングされた感圧接着剤である。ポリ塩化ビニルから製造され、グラフィックス４４で印刷された別のフィルム４２が感圧接着剤層４６に積層される。
【００５６】
本発明の物品は、多数の構造物に適用することができる。剥離可能なキャリヤーは、真空熱成形のような成形プロセスの間に除去されてもよいし、またはそれは、物品が構造物の永久表面に被着された後に物品から除去されてもよい。構造物は平坦であってもよいし、または３次元の複雑な、形作られた表面を有してもよい。これら後者の複合表面への被着のためには、物品は、離層するまたは持ち上がることなくそれにぴったりと合うのに十分なほど柔軟である必要がある。実際に必要な柔軟性は、構造物表面の性質に大きく依存する。自動車産業で遭遇する幾つかの共通構造物には、バンパーフェイシア、中柱、ロッカーパネル、ホイールカバー、ドアパネル、トランクおよびフード蓋、ミラーハウジング、ダッシュボード、フロアマット、ドアシルなどが含まれる。典型的に物品には、接着剤が感圧接着剤である場合、除去可能な剥離ライナーによって通常保護されている接着剤層が含まれる。好ましくはただ１回の連続モーションで、剥離ライナーを除去すると同時にスムーズな、平坦なやり方で物品を被着することによって、物品は構造物に被着される。グラフィック物品は、いかなる閉じ込められた空気をも除去するために、および下にある基材との良好な接着剤接合を与えるために、フラットプレスされてもよい。
【００５７】
本発明によるグラフィック物品は、自動車、トラック、オートバイ、列車、飛行機、海洋乗物およびスノーモービルに適用される。しかしながら、本発明は、車両セットに限定されず、屋内環境および屋外環境の両方をはじめとする、多層の装飾、機能または情報グラフィック物品が望まれるいかなる分野で使用されてもよい。望まれる場合、本発明は、再帰反射性基材上にカラー層を形成することによって着色した再帰反射性物品を提供するのに使用されてもよい。
【００５８】
屋内用途向けに、熱硬化ポリウレタン層は、グラフィック物品にインテリア表面保護特性を与えるべく配合されてもよい。上記のように、芳香族イソシアネートとポリオールとの反応生成物を含むポリウレタンベース材料は、この点で他の材料のように有用である。「インテリア表面保護特性」は、耐表面損傷性を意味し、グラフィック物品がインテリアクリーニング液、食品、化粧品、グリース、油および可塑剤にさらされた場合に、外観または接着に感知されるほど変化しないことを意味する。
【００５９】
熱硬化ポリウレタン層の適切な配合で、グラフィック物品は、屋外環境での使用に特に好適である。かかる物品は、環境風化、化学品および研磨のような多種多様な苛酷な、悪化条件に暴露される。脂肪族イソシアネートといずれかのポリオールとの反応生成物を含むポリウレタンベース表面層は、柔軟であるまま、耐候性、耐化学薬品性および耐摩耗性を与えるそれらの能力のために、この点では有用である。
【００６０】
次の非限定的な実施例は、本発明をさらに例示する。特に明記しない限り、次の試験手順が実施例で用いられる。他の条件および詳細だけでなく、これらの実施例で列挙される具体的な材料および量は、当該技術においては広く解釈されるべきであり、いかなるやり方でも本発明を不当に制限または限定すると解釈されるべきではない。
【００６１】
本明細書で下に列挙される試験方法は、本発明に従った多層物品の、屋外環境での、特に自動車に関連した実用性を評価するために用いられてもよい。これらの試験は、主要な自動車製造業者によって採用または開発されてきた多数のものに類似している。しかしながら、あらゆる試験に合格し損なう物品は、それでもなお、与えられた用途に対する要件および特定のエンドユーザーによって定められた標準次第で他の用途には好適であるかもしれない。代わりの判定基準が下に注記されない限り、表面劣化、過度の収縮、層間剥離、辺持ち上がり、光沢またはカラー変化、接着性減少、およびクラッキングまたはクレージングをはじめとする好ましくない結果をそれが何も示さない場合、物品は今問題にしている試験に合格したと考えられる。試験は、屋外耐久性を特徴づけるために自動車産業で長い間用いられてきたし、観察結果は、認められるに至ったそれらの標準と一致するべきである。
【００６２】
各試験において、グラフィック物品には、物品のサンプルを試験基材に接合するための感圧接着剤（典型的には約２５〜５１ｍｍ厚さ）が含まれる。自動車製造業者によって指定された任意の試験基材が使用されてもよいが、試験基材の性質（構成物のその材料、ペンキを塗られているか、プライマー化されているかどうかなど）は、典型的には物品のエンドユーザーによって指定される。通常、試験基材はサイズが約３０．５ｃｍ×１０．２ｃｍであり、物品のサンプルは下に注記された場合を除いて８．９ｃｍ×８．９ｃｍである。いったんサンプルが試験基材にしっかりと被着されたら、得られたパネルは、周囲条件（２３℃±２℃、５０％±５％相対湿度（Ｒ．Ｈ．））下で２４時間試験準備される。すべての試験は、特に記載のない限り、周囲条件下で行われる。さらに、すべてのパネルは、試験の終わりに観察結果を記録する前に、２４時間周囲条件回復期間にさらされる。
【００６３】
次の非限定的な実施例は、本発明をさらに例示する。特に明記しない限り、次の試験手順が実施例で用いられる。他の条件および詳細だけでなく、これらの実施例で列挙される具体的な材料および量は、当該技術においては広く解釈されるべきであり、いかなるやり方でも本発明を不当に制限または限定すると解釈されるべきではない。
【００６４】
本明細書で下に列挙される試験方法は、本発明に従った多層物品の、屋外環境での、特に自動車に関連した実用性を評価するために用いられてもよい。これらの試験は、主要な自動車製造業者によって採用または開発されてきた多数のものに類似している。しかしながら、あらゆる試験に合格しそこなう物品は、それでもなお、与えられた用途に対する要件および特定のエンドユーザーによって定められた標準次第で他の用途には好適であるかもしれない。代わりの判定基準が下に注記されない限り、表面劣化、過度の収縮、層間剥離、辺持ち上がり、光沢またはカラー変化、接着性減少、およびクラッキングまたはクレージングをはじめとする好ましくない結果をそれが何も示さない場合、物品は現在問題にしている試験に合格したと考えられる。試験は、屋外耐久性を特徴づけるために自動車産業で長い間用いられてきたし、観察結果は、認められるに至ったそれらの標準と一致するべきである。
【００６５】
各試験において、グラフィック物品には、物品のサンプルを試験基材に接合するための感圧接着剤（典型的には約２５〜５１ｍｍ厚さ）が含まれる。自動車製造業者によって指定された任意の試験基材が使用されてもよいが、試験基材の性質（構成物のその材料、ペンキを塗られているか、プライマー化されているかどうかなど）は、典型的には物品のエンドユーザーによって指定される。通常、試験基材はサイズが約３０．５ｃｍ×１０．２ｃｍであり、物品のサンプルは下に注記された場合を除いて８．９ｃｍ×８．９ｃｍである。サンプルが試験基材にしっかりと被着されたら、得られたパネルは、周囲条件（２３℃±２℃、５０％±５％相対湿度（Ｒ．Ｈ．））下で２４時間試験準備される。すべての試験は、特に記載のない限り、周囲条件下で行われる。さらに、すべてのパネルは、試験の終わりに観察結果を記録する前に、２４時間周囲条件回復期間にさらされる。
【００６６】
試験方法
遊離イソシアネートのＦＴＩＲ測定
利用可能なイソシアネートの量は、Ｎｉｃｏｌｅｔ５１０ＦＴ−ＩＲ分光器を用いて製造業者の指示書に従って測定した。分光器は、未硬化フィルムに関する２２６０ｃｍ−１のイソシアネート吸収バンドのピークサイズ（ピークサイズ２２６０）ｉに相当する最初のイソシアネートの量（［ＮＣＯ］ｉ）と、硬化または部分硬化ポリウレタンフィルムの比較ピークサイズ（ピークサイズ２２６０）ｒによって決定される残存イソシアネート（［ＮＣＯ］ｒ）とを測定する。硬化または部分硬化した後の利用可能なイソシアネートの重量パーセント（％）は、次のように表される。
％＝（（［ＮＣＯ］ｒ）／（［ＮＣＯ］ｉ））×１００
＝（（ピークサイズ２２６０）ｒ／（ピークサイズ２２６０）ｉ）×１００
【００６７】
表面層接着、カラー層接着
表面層接着およびカラー層接着は、同じ試験手順に従って評価してもよい。場合によっては、カラー層または表面層の表面上に、それぞれが１ミリメートル（ｍｍ）離れた一連の１１本の平行線を引く。それぞれが１ｍｍ離れて第１のセットに垂直な第２の一連の１１本の平行線を引いて、それぞれ長さが約１ｍｍ１ｍｍである１００個の正方形の格子を作る。それぞれの引かれた線は、下にある層中へカットすることなく層を十分に貫通するのに十分なほど深い。Ｓｃｏｔｃｈブランドテープ＃６１０（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ））を格子にしっかりとくっつけ、次に、迅速な１回の連続モーションで、パネルに対して９０°の角度で引っ張ることによって取り除く。元の１００個の正方形のうちの残ったものの割合として、パーセント接着を測定した。試験に合格するためには、該接着は好ましくは少なくとも９０％である。好ましくは該接着は９５％であり、より好ましくは１００％である。
【００６８】
加熱老化
パネルを、空気循環オーブン中８０°±２℃で７日間暴露する。表面層またはカラー層からの顕著な光沢損失またはカラー変化はないものとする。
【００６９】
防湿性
パネルを、３８°±２℃および９９±１％相対湿度で７日間暴露する。カラー層と表面層との間の層間剥離は起こるべきではない（下で「表面層層間剥離」と言われる）。接着剤層とそれが接着しているグラフィック物品の層との間の目に見える層間剥離もまたあるべきではない（下で「接着剤層層間剥離」と言われる）。目に見える膨れ、永久汚染または色もしくは光沢の変化もまたあるべきではない。
【００７０】
耐摩耗性
それらの用語が本明細書で使用されるような摩耗に対する抵抗性（または耐摩耗性）は、グラフィック物品を、ＳＡＥ  Ｊ１８４７に従ってヘッド当たり５００グラムの荷重を持つＣＳ−１７研磨ホイールを備えたＴｅｌｅｄｙｎｅ  Ｔａｂｅｒ  Ａｂｒａｓｅｒ（摩耗試験機）（Ｔｅｌｅｄｙｎｅ，Ｉｎｃ．）にさらすことによって評価してもよい。好ましくは、グラフィック物品は１，０００サイクル後に試験基材にいかなるすり減り穴あきも示さない。
【００７１】
１０日間水中浸漬
パネルを３１．５℃水中に１０日間浸漬する。カラー層と表面層との間の層間剥離は起こるべきではない（下で「表面層層間剥離」と言われる）。接着剤層とそれが接着しているグラフィック物品の層との間の目に見える層間剥離もまたあるべきではない（下で「接着剤層層間剥離」と言われる）。目に見える膨れ、永久汚染または色もしくは光沢の変化もまたあるべきではない。
【００７２】
塩水噴霧
苛酷な塩水噴霧に対する抵抗性は、パネルに０．１％塩溶液を３５℃で７日間噴霧することによって測定する。カラー層と表面層との間の層間剥離は起こるべきではない（下で「表面層層間剥離」と言われる）。接着剤層とそれが接着しているグラフィック物品の層との間の層間剥離もまたあるべきではなく、膨れ、永久汚染または色もしくは光沢の変化もあるべきではない。
【００７３】
破壊伸び
伸びは、フィルム破壊のポイントで測定されるフィルム伸張の量である。試験手順は、ＡＳＴＭ  Ｄ８８２、方法Ａに記載されている。試験片のサイズは２５ｍｍ幅および１２５ｍｍ長さであり、顎間分離は１００ｍｍである。試験スピードは５０ｍｍ／分である。少なくとも３つの試験片を測定するべきである。破壊ポイントでの伸びがパーセントで記録される。
【００７４】
耐衝撃性
ＳＡＥ  Ｊ４００に従って−３０℃で砂利に対する抵抗性を試験する。
【００７５】
【表１】
2004516958.tif 000002
【００７６】
【表２】
2004516958.tif 000003
【００７７】
実施例１
表２の組成物Ｃ用の材料を一緒に十分に混合して一様な溶液を形成した。次にノッチバーコータを用いて、剥離コーティング（シリコーン）ポリエステルフィルム上に該溶液を約７６マイクロメートルの厚さにコーティングした。コーティングした組成物を乾燥し、オーブン中８５℃で２分間、オーブン中１２１℃で２分間、およびオーブン中１３０℃で２分間部分硬化させて、約１５マイクロメートルの厚さを有する乾燥フィルムを形成した。部分硬化したフィルム中に残った遊離イソシアネート基の量は、上述の試験方法に従って測定されるように６３．７重量％であった。ノッチバーコータを使って組成物Ｂ（表２）を、部分硬化した組成物Ｃのフィルムの一面に約１０１マイクロメートルの湿潤厚さにコーティングした。上の組成物Ｃに対する条件に従って、コーティングした組成物を乾燥し、約２０マイクロメートルの乾燥フィルム厚さを得た。得られた複合フィルムは、明らかに透明であり、２つの層は互いに非常に良好に接合しており、表面層剥離試験に合格した。２つの層フィルムは破壊伸び１１２．７％を有した。
【００７８】
実質的に完全に硬化した２層フィルムに関してフィルムの両側から、すなわち、組成物Ｃの側から（図５の５０）および組成物Ｂの側から（図６の６０）、ＦＴＩＲ透過率スペクトルを測定した。スペクトルの１６９０ｃｍ−１および１７３０ｃｍ−１に位置するピークは、ウレタン結合のカルボニル基が現れるところである。１７３０ｃｍ−１に位置する遊離カルボニル基のピークサイズは、１６９０ｃｍ−１に位置する水素結合カルボニル基よりも著しく大きく、遊離カルボニル基の量が水素結合カルボニル基の量よりも多いことを示す。
【００７９】
同様に、フィルムの組成物Ｂ側に関して測定したスペクトル（図６の６０）は、１７３０ｃｍ−１と１６９０ｃｍ−１とのピーク間のより明白な差を示し、遊離カルボニルピークがより大きい。
【００８０】
この実施例のフィルムのポリマー鎖間のより少ない水素結合カルボニル基は、比較例１のフィルムよりも、フィルムを、より大きな伸び率のより柔軟なものにすると考えられる。
【００８１】
比較例１
ノッチバーコータを用いて剥離コーティングポリエステルフィルム上へ組成物Ｂ（表２中の）を約１０１マイクロメートルの厚さにコーティングした。組成物を、オーブン中８５℃で２分間、オーブン中１２１℃で２分間、およびオーブン中１３０℃で２分間硬化させて、約２０マイクロメートルの厚さを有する乾燥フィルムを得た。次に約１５マイクロメートルの乾燥厚さを得るために、組成物Ｃを、乾燥フィルムの一面に約７６マイクロメートルの湿潤厚さにコーティングした。組成物をオーブン中８５℃で５分間、オーブン中１２１℃で１０分間、およびオーブン中１３０℃で３０分間硬化させて２層フィルムを形成した。フィルムは６．８％の破壊伸びを有した。
【００８２】
実施例１で記載したように、得られた透明な２層フィルムを、フィルムの両側に関してＦＴＩＲによって試験した。組成物Ｃの側に関して試験した図５の透過率スペクトル５２、および組成物Ｂの側から試験した図６の６２は、両方とも、より少ない量の遊離カルボニル基を示唆するより小さい１７３０ｃｍ−１のピークを示し、より多い水素結合カルボニル基を示唆するより大きい１６９０ｃｍ−１のピークを示す。
【００８３】
実施例２
組成物Ｃを部分硬化させた後、組成物Ｂをコーティングしてそのトップ上に硬化させる前に部分硬化したフィルムをさらに２５℃で４日間硬化させたことを除いては実施例１の手順に従って２層透明フィルムを調製した。組成物Ｂをコーティングする前の利用可能なイソシアネートの重量パーセントは３４．６％であった。フィルムは表面剥離試験に合格した。
【００８４】
実施例３
組成物Ｃの部分硬化したフィルムをさらに２５℃で４日間の代わりに８日間硬化させたことを除いては実施例２の手順に従って２層透明フィルムを調製した。組成物Ｂをコーティングする前の利用可能なイソシアネートの重量パーセントは２３．４％であった。フィルムは表面剥離試験に合格した。
【００８５】
実施例４（対照）
コーティングした組成物Ｃを乾燥してオーブン中８５℃で５分間、オーブン中１２１℃で１０分間、およびオーブン中１３０℃で３０分間硬化させたことを除いては実施例１の手順に従って実施例４を調製した。ＦＴＩＲ結果は、硬化したフィルム中に遊離イソシアネートが実質的に残っていないことを示した。次に組成物Ｃの一面に組成物Ｂをコーティングし、実施例１に記載した手順に従って硬化させた。フィルムは、組成物Ｂの正方形のほとんどが組成物Ｃから引き剥がされて剥離試験に合格しなかった。
【００８６】
実施例１〜４は、２層間の接着を促進することにおいて、第２層をコーティングする前に熱硬化性ポリウレタン層上に残存イソシアネート基を有することの重要性を例示している。
【００８７】
実施例５
ポリイソシアネート（Ｄｅｓｍｏｄｕｒ−３３９０）を除いて組成物Ａ（表２の）の材料を、プロペラ羽根付きエアミキサーを用いて十分に分散されるまで混合することによって、２部分組成物を調製した。コーティング直前にポリイソシアネートを加えて十分に混合した。実施例１に記載した手順に従って組成物をコーティングした。コーティングした組成物を、オーブン中７９℃で１．５分間、オーブン中１０７℃で１．５分間、およびオーブン中１２５℃で１．５分間部分硬化させて、透明なフィルムを形成した。本実施例で組成物Ｃに対して記載した温度でそれを硬化させたことを除いては実施例１の手順を用いて部分硬化したフィルムの一面に組成物Ｂ（表２の）をコーティングして、完全に硬化した２層フィルムを形成した。粉末印刷インクを使用して硬化した組成物Ｂのトップ上に逆像を印刷した。画像は、組成物Ｂへの優れた接着を示した。次に画像層をアクリル感圧接着剤層に積層し、次にその接着剤層を褐色に着色したＡＢＳ（アクリロニトリルブタジエンスチレン）の５０８マイクロメートル厚さのシートに積層して、複合フィルムを形成した。次に剥離コーティングポリエステルフィルムを取り除いた。金型中で多層構造物を真空熱成形して、鋭いかどおよび辺を待った約６ｍｍ〜約１０ｍｍの厚さ範囲を有する３次元物品を形成した。真空熱成形は約２３５℃で約２５秒の一時停止時間で達成され、辺およびかどは金型の鋭い画定を維持した。
【００８８】
実施例６
透明な２層フィルムを、実施例５の手順に従って調製した。３Ｍ（登録商標）８９００シリーズグラビアインクを使用して、硬化した組成物Ｂ上へ逆像を印刷し、７９℃オーブン中で１．５分、９３℃オーブン中で１．５分および１２１℃オーブン中で１．５分乾燥した。グラビアインクは組成物Ｂに対して優れた接着を示した。画像層をアクリル接着剤層に積層し、次にその接着剤層を褐色に着色したＡＢＳの５０８マイクロメートル厚さのシートに積層して、複合フィルムを形成した。剥離コーティングポリエステルフィルムを取り除き、多層複合体を実施例５に記載したものと同じ条件で熱成形した。得られた成形物品は、金型の鋭いかどおよび辺画定を有した。
【００８９】
実施例７
実施例５の手順に従って画像形成した複合フィルムを調製した。剥離コーティングポリエステルフィルムを取り除き、フィルムを金型を背にした硬化組成物Ａと共に予熱した真空金型に入れた。金型温度を６０℃にセットした。次に複合フィルムを真空熱成形して、鋭いかどおよび辺、ならびに金型の深さである約３．０ｍｍの厚さを有する３次元形状へ圧伸した。注入成形樹脂組成物（表３の組成物Ｅ）を、画像層と接触する成形フィルム中へ注入し、アクリルフォームテープを注入成形樹脂上に置いた。金型を６０℃に維持し、注入成形樹脂が硬化するまで物品を金型中に置いたままにした。
【００９０】
幾つかの成形物品を調製し、個々の物品を上述の各試験（加熱老化、防湿性、塩水噴霧、および水中浸漬）について試験した。物品のすべてが、上述の判定基準によれば、それらが受けた試験に合格した。
【００９１】
【表３】
2004516958.tif 000004
【００９２】
実施例８
２層透明フィルムを実施例７に記載した方法に従って真空熱成形して調製した。赤色顔料入り注入成形樹脂（表３の組成物Ｆ）を硬化した組成物Ｂと接触して金型中へ注入した。スズ金属化ポリエステルフィルム（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ）から入手可能な３Ｍ（登録商標）ＱＶ−１０００ポリエステルフィルム）を注入成形樹脂に金属層で積層し、６０℃に維持した金型中で硬化させて３次元物品を生産した。物品を、上および実施例７に記載したような加熱老化、防湿性、塩水噴霧、および水中浸漬について試験した。物品のすべてが、それらが受けた試験に合格した。
【００９３】
実施例９
２層フィルムを製造する際に組成物Ａの代わりに組成物Ｃを使用したことを除いては実施例９に記載した手順に従って３次元物品を製造した。物品を、上および実施例７に記載したような加熱老化、防湿性、塩水噴霧、および水中浸漬について試験した。物品のすべてが、それらが受けた試験に合格した。
【００９４】
実施例１０
２層フィルム中の組成物Ｂの代わりに組成物Ｄを使用したことを除いてはは実施例９に記載した手順に従って３次元物品を調製した。熱成形後に、それが組成物Ｄと接触するように、組成物Ｅを成形シェル中へ注入した。硬化前にスズ金属化ポリエステルフィルムを組成物Ｄに積層した。物品を、上および実施例７に記載したような加熱老化、防湿性、塩水噴霧、および水中浸漬について試験した。物品のすべてが、それらが受けた試験に合格した。
【００９５】
実施例１１および１２
実施例１１では、実施例５の手順に従って２層フィルムを調製した。実施例１２では、組成物Ａの代わりに組成物Ｃを使用したことを除いては実施例５の手順に従って２層フィルムを調製した。
【００９６】
用いた金型が１．６ｍｍの深さを有し、得られた物品が１．６ｍｍ厚さであったことを除いて実施例７の方法に従って両フィルムを３次元物品に成形した。各場合にそれが硬化した組成物Ｂと接触するように、黒色顔料入り注入成形樹脂（表３の組成物Ｇ）を成形フィルム中へ注入した。硬化前に３Ｍ（登録商標）ＳｃｏｔｃｈｃａｌＴＭ黒色ＰＶＣフィルム（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ））をポリウレタン注入成形樹脂に積層した。物品を、上および実施例７に記載したような加熱老化、防湿性、塩水噴霧、および水中浸漬について試験した。物品のすべてが、それらが受けた試験に合格した。
【００９７】
実施例１３
２層フィルムを実施例１の手順に従って調製した。アクリル感圧接着剤組成物を硬化した組成物Ｂの一面にコーティングし、７０℃で２分間、９５℃で２分間、および１２５℃で２分間硬化させた。乾燥した接着剤の厚さは約２５．４マイクロメートルであった。次に接着剤コーティング側を、白色３ＭＴＭＳｃｏｔｃｈｃａｌ（登録商標）ＰＶＣフィルム（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ））上にインク画像を有するグラフィックに熱積層した。１２５℃のニップロール温度で、約１．８メートル／分で積層を行った。ニップロール圧を３４５キロパスカルにセットした。得られたグラフィックフィルムを独立して、上および実施例７に記載したような加熱老化、防湿性、塩水噴霧、および水中浸漬について試験し、また上述の試験手順に従って耐衝撃性および耐摩耗性についても試験した。フィルムのすべてが、それらが受けた試験に合格した。
【００９８】
実施例１４
実施例３の手順に従って２層フィルムを調製した。二重の透明なフィルムを実施例１で調製した。フィルムの硬化組成物Ｂ側を、３００マイクロメートル厚さの押出ポリエーテルベース熱可塑性ポリウレタンシートに熱積層して複合シートを形成した。積層ロールを１２９℃にセットし、ニップロール圧は約２０７キロパスカルであり、積層スピードは１．８メートル／分であった。得られたシートを独立して、実施例１３に記載した試験のそれぞれで試験した。フィルムのすべてが、それらが受けた試験に合格した。
【００９９】
実施例１５
実施例９の手順に従って２層フィルムを調製した。次に黒色３Ｍ（登録商標）ＳｃｏｔｃｈｃａｌＴＭＰＶＣ（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ））オルガノゾルを約１１４マイクロメートルの湿潤厚さにコーティングして、約５１マイクロメートルの乾燥厚さを得た。オルガノゾルをオーブン中７４℃で２分間、オーブン中１０７℃で２分間、オーブン中１３５℃で２分間およびオーブン中１８５℃で２分間乾燥した。フィルム複合体は表面剥離試験に合格した。フィルムを独立して、加熱老化、防湿性、塩水噴霧、および水中浸漬について試験した。フィルムのすべてが、それらが受けた試験に合格した。
【０１００】
次に実施例７に記載した手順に従って、黒色フィルムを３次元物品へ熱成形した。次にフィルムについて上述したように、成形した部品を独立して試験した。部品のすべてが、それらが受けた試験に合格した。
【０１０１】
上述の実施例は、本発明の多層化フィルムの真空熱成形される能力を例示している。さらに、本発明の成形物品だけでなくフィルムも、優れた防湿性、耐水性、耐熱性、耐塩水性、耐摩耗性、および耐衝撃性を示す。
【図面の簡単な説明】
【図１】
本発明の多層物品を用いて生産された物品の断面図である。
【図２】
本発明の多層物品を用いて生産された物品の断面図である。
【図３】
本発明の多層物品を用いて生産された物品の断面図である。
【図４】
本発明の多層物品を用いて生産された物品の断面図である。
【図５】
本発明による多層物品を従来の多層物品と比較するＦＴＩＲ試験結果のグラフである。
【図６】
本発明による多層物品を従来の多層物品と比較するＦＴＩＲ試験結果のグラフである。
【図５】
2004516958.tif 000005
【図６】
2004516958.tif 000006
【国際公開パンフレット】
2004516958.tif 000007
2004516958.tif 000008
2004516958.tif 000009
2004516958.tif 000010
2004516958.tif 000011
2004516958.tif 000012
2004516958.tif 000013
2004516958.tif 000014
2004516958.tif 000015
2004516958.tif 000016
2004516958.tif 000017
2004516958.tif 000018
2004516958.tif 000019
2004516958.tif 000020
2004516958.tif 000021
2004516958.tif 000022
2004516958.tif 000023
2004516958.tif 000024
2004516958.tif 000025
2004516958.tif 000026
2004516958.tif 000027
2004516958.tif 000028
2004516958.tif 000029
2004516958.tif 000030
2004516958.tif 000031
2004516958.tif 000032
2004516958.tif 000033
2004516958.tif 000034
2004516958.tif 000035
2004516958.tif 000036
2004516958.tif 000037
2004516958.tif 000038
2004516958.tif 000039
2004516958.tif 000040
2004516958.tif 000041
2004516958.tif 000042
2004516958.tif 000043
2004516958.tif 000044
【国際調査報告】
2004516958.tif 000045
2004516958.tif 000046
2004516958.tif 000047
2004516958.tif 000048